(57)【要約】【課題】複数の操作を行う必要が無く、しかも画面情報が整理されて表示される画像表示方法及び表示装置を提供すること。【解決手段】透光性の第１の表示部を通して、その後に所定間隔離して設けられた第２の表示部に表示された画像を表示する表示方法であって、前記第１の表示部には光を遮断するマスク部を有すると共に前記第１の表示部と前記第２の表示部の間に光の進行方向を屈折させる屈折部を有し、前記第１の表示部の前で所定の角度から見る視者に対して、前記マスク部により前記第２の表示部に表示された画像の一部を覆い隠して表示する。【選択図】  図１
2004279782.tif 000002
【特許請求の範囲】
【請求項１】
透光性の第１の表示部を通して、その後に所定間隔離して設けられた第２の表示部に表示された画像を表示する表示方法であって、
前記第１の表示部には光を遮断するマスク部を有すると共に前記第１の表示部と前記第２の表示部の間に光の進行方向を屈折させる屈折部を有し、前記第１の表示部の前で所定の角度から見る視者に対して、前記マスク部により前記第２の表示部に表示された画像の一部を覆い隠して表示することを特徴とする画像表示方法。
【請求項２】
透光性の第１の表示部を通して、その後に所定間隔離して設けられた第２の表示部に表示された画像を表示する表示方法であって、
前記第１の表示部には光を遮断するマスク部を有すると共に前記第１の表示部と前記第２の表示部の間に光の進行方向を調整する屈折部を有し、前記第１の表示部の前で所定の角度から見る視者に対して、前記マスク部により前記第２の表示部に表示された画像の一部を覆い隠すと共に、前記第１の表示部に表示された画像と前記第２の表示部に表示された画像の関係により、合成画像を表示することを特徴とする画像表示方法。
【請求項３】
前記所定角度は、高さ方向の異なる角度であることを特徴とする請求項２記載の画像表示方法。
【請求項４】
前記所定角度は、左右方向の異なる角度であることを特徴とする請求項２記載の画像表示方法。
【請求項５】
前記屈折部は、視者の視野角に合わせて屈折角度を制御することにより、表示された画像の一部を覆い隠して表示することを特徴とする請求項１記載の画像表示方法。
【請求項６】
前記屈折部は、視者の視野角に合わせて屈折角度を制御することにより、合成画像を表示することを特徴とする請求項２記載の画像表示方法。
【請求項７】
前記屈折部は、複数の異なった面積の屈折材を重ねて用いることを特徴とする請求項１ないし６のいずれか１記載の画像表示方法。
【請求項８】
前記屈折部は、屈折材を構成する要素として、液体を用い、液体の存在する部位により透過光の屈折を行うことを特徴とする請求項１ないし７のいずれか１記載の画像表示方法。
【請求項９】
前記屈折部は、屈折材を構成する要素として、複数の種類の液体を用い、液体の比重差を利用して液体の分離を行い、透過光の屈折を行うことを特徴とする請求項８記載の画像表示方法。
【請求項１０】
前記屈折部は、屈折材を構成する要素として、粒子を用い、粒子の存在する部位により透過光の屈折を行うことを特徴とする請求項１ないし７のいずれか１記載の画像表示方法。
【請求項１１】
一部に光を遮断するマスクを有する透光性の第１の表示部と、この第１の表示部の後に、所定間隔離して設けられた第２の表示部と、前記第１の表示部と前記第２の表示部との間に配置された屈折部とが重畳して配置された画像表示装置であって、
前記第１の表示部の前で所定の角度から見る視者に対して、前記マスク部により前記第２の表示部に表示された画像の一部を覆い隠す位置に前記マスク部が設けられて成ることを特徴とする画像表示装置。
【請求項１２】
一部に光を遮断するマスクを有する透光性の第１の表示部と、この第１の表示部の後に、所定間隔離して設けられた第２の表示部と、前記第１の表示部と前記第２の表示部との間に配置された屈折部とが重畳して配置された画像表示装置であって、
前記第１の表示部の前で所定の角度から見る視者に対して、前記マスク部により前記第２の表示部に表示された画像の一部を覆い隠す位置に前記マスク部が設けられると共に、前記第１の表示部に表示された画像と前記第２の画像の関係により合成画像を表示するように前記第１の表示部及び前記第２の表示部の画像が表示されることを特徴とする画像表示装置。
【請求項１３】
前記マスク部には、身長により利用が制限される条件が表示され、前記第２の表示部には、前記画像表示装置を所定の身長以上から見る視者と所定の身長以下から見る視者に対して、提供する情報の表示が異なることを特徴とする請求項１２に記載の画像表示装置。
【請求項１４】
前記マスク部には、高さにより利用条件が相違する条件が表示され、前記第２の表示部には、前記画像表示装置を所定の高さ以上から見る視者と所定の高さ以下から見る視者に対して、提供する情報の表示が異なることを特徴とする請求項１２に記載の画像表示装置。
【請求項１５】
前記屈折部は、液体又は粒子を用いて透過光の屈折を行うことを特徴とする請求項１１ないし１４のいずれか１記載の画像表示装置。
【発明の詳細な説明】
【０００１】
【発明の属する技術分野】
本発明は、複数の表示部を重畳した構造を有する表示装置の画像表示方法及び表示装置に関する。
【０００２】
【従来の技術】
従来、鉄道の駅の切符販売機などにおいて、複数の行き先や大人と子供の料金の設定等があり、選択項目が多数ある場合、情報が多数あるゆえにどの項目を選択することが良いのか、判断が難しいことが、しばしばあった。
【０００３】
このように、選択項目が多い場合の階層構造の情報提供方式として、最初に路線を選択し、その後、金額を選択するなどとすることがあるが、選択が複数となり、一度の選択で切符の購入が出来ないため、短時間で切符を購入したい利用者にとっては、利便性が劣る問題点があった。
【０００４】
また、遊園地に設けられた遊戯施設などにおいて、身長の低い子供が利用すると安全性の確保が難しくなることから利用を制限される場合があるが、通常は身長制限の目盛を記載した物指しと利用者を比較して、身長が低い場合は利用を行わない指導をする必要がある。このため、常時安全管理のために人が指導や監視する必要があり、効率的な運用が望まれていた。
【０００５】
また、街頭などに、ビルの壁面に設けられる様な大型ディスプレイを用いた表示装置においては、同一の情報を個々人が得ることが出来るのみで、見る方向や人が通る方向によって、得られる情報を変化させることは出来ない問題があった。このため、大型ディスプレイなどに駐車場の空き情報の情報の表示を行った場合、空いている駐車場の表示がされると、同一方向に全ての車が向かい、この結果、渋滞や混雑が生じる様な問題があった。
【０００６】
また、１画面に複数の画面表示をする場合は、一画面に複数の画面を重ね合わせ、画面の切り替え、表示順番を変更するものも知られている。（特許文献１，２参照）。
【０００７】
しかし、このように１画面に複数の情報を重ねて表示すると、使用者には表示されている情報が一体となって見えてしまい、理解し難いという問題があった。さらに、１画面を分割して複数の画面情報を表示した場合は、個々の画面情報スペースが小さくなり、情報量が多い場合には全てを見ることができず、全体を見るためにこの画面情報においてスクロール等の操作が必要となり、視認性・操作性が悪化するという問題があった。
【０００８】
なお、液晶表示体を複数個、重畳して構成した多層構造の液晶表示装置および画像表示方法は知られている（特許文献３）。しかし、この装置および画像表示方法は、複雑な情報を見易く表示する方法を提供するものではない。
【０００９】
また、本出願人は、このような従来の問題点を考慮して、複数の操作を行う必要が無く、しかも画面情報が整理されて表示される画像表示方法及び表示装置を先に出願した（特願２００３−００６５２５；平成１５年１月１５日出願）が、本発明は更にこれを改良するものである。
【００１０】
【特許文献１】
・特開平８−４４５２２
【００１１】
【特許文献２】
・特開平７−２７０１７２
【００１２】
【特許文献３】
・特表２００２−５０４７６４
【００１３】
【発明が解決しようとする課題】
上記のように、多くの情報を表示する従来の表示装置では、複数の操作を行う必要があったり、また、表示されている画面情報を整理して提供することが難しいという問題があった。本発明は、このような従来の表示装置の問題点に鑑みてなされたもので、複数の操作を行う必要が無く、しかも画面情報が整理されて表示される画像表示方法及び表示装置を提供することを目的とする。
【００１４】
【課題を解決するための手段】
本発明の特徴の１つは、透光性の第１の表示部と第２の表示部の間に光の進行方向を屈折させる屈折部を有する点にある。
【００１５】
上記目的を達成するために、本発明の請求項１によれば、透光性の第１の表示部を通して、その後に所定間隔離して設けられた第２の表示部に表示された画像を表示する表示方法であって、前記第１の表示部には光を遮断するマスク部を有すると共に前記第１の表示部と前記第２の表示部の間に光の進行方向を屈折させる屈折部を有し、前記第１の表示部の前で所定の角度から見る視者に対して、前記マスク部により前記第２の表示部に表示された画像の一部を覆い隠して表示することを特徴とする画像表示方法を提供する。
【００１６】
本発明の請求項２によれば、透光性の第１の表示部を通して、その後に所定間隔離して設けられた第２の表示部に表示された画像を表示する表示方法であって、前記第１の表示部には光を遮断するマスク部を有すると共に前記第１の表示部と前記第２の表示部の間に光の進行方向を調整する屈折部を有し、前記第１の表示部の前で所定の角度から見る視者に対して、前記マスク部により前記第２の表示部に表示された画像の一部を覆い隠すと共に、前記第１の表示部に表示された画像と前記第２の表示部に表示された画像の関係により、合成画像を表示することを特徴とする画像表示方法を提供する。
【００１７】
本発明の請求項１１によれば、一部に光を遮断するマスクを有する透光性の第１の表示部と、この第１の表示部の後に、所定間隔離して設けられた第２の表示部と、前記第１の表示部と前記第２の表示部との間に配置された屈折部とが重畳して配置された画像表示装置であって、前記第１の表示部の前で所定の角度から見る視者に対して、前記マスク部により前記第２の表示部に表示された画像の一部を覆い隠す位置に前記マスク部が設けられて成ることを特徴とする画像表示装置を提供する。
【００１８】
本発明の請求項１２によれば、一部に光を遮断するマスクを有する透光性の第１の表示部と、この第１の表示部の後に、所定間隔離して設けられた第２の表示部と、前記第１の表示部と前記第２の表示部との間に配置された屈折部とが重畳して配置された画像表示装置であって、前記第１の表示部の前で所定の角度から見る視者に対して、前記マスク部により前記第２の表示部に表示された画像の一部を覆い隠す位置に前記マスク部が設けられると共に、前記第１の表示部に表示された画像と前記第２の画像の関係により合成画像を表示するように前記第１の表示部及び前記第２の表示部の画像が表示されることを特徴とする画像表示装置を提供する。
【００１９】
【発明の実施の形態】
以下、本発明の各実施形態について図面を用いて説明する。
【００２０】
図１に本発明による多重表示装置の一実施形態の構造を示す。同図に示すように、この多重表示装置１の表示ユニット２０は、液晶により構成された後画面の表示手段２１ａと、光を透過し、空気とは屈折率の異なる材質で構成された屈折手段２４と、透光性の液晶により構成され表示手段２１ａの前面に設置された前画面の表示手段２２ａとが、所定間隔、離して設置される。さらに、前画面表示手段２２ａの表面には、入力手段２３として利用者が操作を画面上のシンボルにタッチすることで操作を行うことが可能となる例えばタッチパネルが設置され、これらを一体形式の構成として、表示ユニット２０が構成されている。多重表示装置１は、上述の構成を有する表示ユニット２０と、この表示ユニット２０を制御する制御手段１１と、この制御手段が接続される母線１５と、この母線に各々接続されるプログラム記憶手段１２、情報記憶手段１３、抽出手段１４及び表示制御手段１６とから成る。
【００２１】
表示ユニット２０の後画面の表示手段２１ａは、通常用いられる液晶表示装置である。この表示手段２１の前面に、空気とは屈折率が異なる材質で所定の屈折性を有する屈折手段２４と、透光性の表示手段２２ａとを所定間隔、離して重畳されている。これにより、後画面の表示手段２１ａに表示された画像と、前画面の表示手段２２ａに表示された画像は、屈折手段２４を通して、同一画像の様に利用者に対して提供される。利用者はタッチパネルである入力手段２３を操作することにより、制御手段１１に対し情報を入力することが可能となる。
【００２２】
屈折手段２４は、例えば水やプラスチックなど、表示手段２１ａと表示手段２２ａの間に存在する物質である空気と屈折率が異なり、かつ透光性を有する材料で構成される。また、屈折手段として用いられる材料の量や厚さ、重なり度、種類の変更を行うことにより、屈折率が変化することを利用し、制御手段により屈折度の制御を可能としている。
【００２３】
表示ユニット２０に表示される情報は情報記憶手段１３に記憶保存されており、例えば駅の切符販売機の場合では、路線情報や、大人、子供の料金情報等が保存される。抽出手段１４は、制御手段１１から出力された信号を受け、該当する情報を情報記憶手段１３から抽出する。このように抽出された情報は表示制御手段１６に伝達される。
【００２４】
表示制御手段１６は、抽出手段により抽出された情報を、表示手段２１ａ，２２ａの各表示部に区分けして表示を行うものであり、このため表示手段の座標情報に合わせて画像情報を制御する。プログラム記憶手段１２には、上に述べた各動作を制御手段１１に実行させるためのプログラムが保存されており、これにより制御手段１１を動作させる。
【００２５】
図２（ａ）（ｂ）は、図１に示した表示ユニット２０に表示される前画面２２と後画面２１の拡大図である。実際には前画面２２の後ろに後画面２１を配置するように重畳されて配設される。
【００２６】
図２（ｂ）に示す後画面２１には、例えば大人用金額３５、子供用金額３６が表示されている。また、図２（ａ）に示す前画面２２の表示手段２２ａは透光性の表示を行う液晶表示装置で構成され、この画面の上部には大人用表示エリア３２が設けられ、この下部には子供用表示エリア３３が区別して設けられる。
【００２７】
さらに、画面に付属した入力手段２３の選択エリアとして、大人用タッチエリア３１が設けられ、子供用表示エリア３３の下方に子供用タッチエリア３４が設定されている。
【００２８】
利用者は、透光性液晶表示装置である前画面２２を通して、後画面２１に表示された大人用金額３５や、子供用金額３６を読み取り、前画面２２のタッチエリア３１、３４を選択する。これによって、希望する料金の選択を行うことが出来る。
【００２９】
さらに、前画面２２には、各画面上に表示される表示情報の位置切替の選択を可能とした入力ボタン３７が設けている。このボタンは、大人でも車椅子などを使用している場合は、視線が低くなることもある。こうした利用者が使用する場合、大人と子供の表示位置を上下で入れ替えを行うものである。これにより、大人でも視線の低い人や、逆に子供でも視線の高い場合の対応が可能となる。
【００３０】
図３に、図１の表示ユニット２０を斜め側面方向より見た構成図を示す。通常、大人は子供と比較して視線が高いので、大人の視線４０のラインにより前画面２２と屈折材２４を通し、後画面２１に表示された情報を読み取るものとなる。
【００３１】
前画面２２には大人用の表示エリア３２と、大人用タッチエリア３１が設けられており、大人の視線は前画面２２を通し、屈折材２４により視線が屈折して、後画面２１の大人用料金３５を読取り、前画面２２の当該料金表示と同一の視線位置に配置されたタッチエリア３１をタッチして料金の選択を行う。この際、後画面２１に表示されている子供料金３６の情報は、前画面２２の子供用表示エリア３３により視線が遮られ、大人の視線４０からは読取れない。したがって、大人の視線４０としては大人の情報に限定して提供される。
【００３２】
一方、子供の場合には大人の場合とは逆に、大人に比較して低い視線であるので、子供の視線４１により前画面２２を通し、屈折材２４により視線が屈折して、後画面２１の子供用料金３６を読取り、前画面２２の当該料金表示と同一の視線位置に配置されたタッチエリア３４をタッチして料金の選択を行う。この際、後画面２１の大人料金３５の情報は、前画面２２の大人用表示エリア３２によって遮られ、子供の視線４１からは読取れない。
【００３３】
このように、通常、背が高く目線が高い位置にある大人は、大人用タッチエリアを通して大人用金額３５の買いたい金額を選択して、大人用切符を買うことができる。一方、通常背が低く、したがって目線が低い位置にある子供は、子供用タッチエリア３４を通して子供用金額３６の買いたい金額の位置を見て選択し、子供用切符を買うことができる。
【００３４】
しかし、実際には、背が低い大人や背の高い子供もいるので、前画面２２の下方右下部分に、位置切替ボタン３７が設けられている。図４は、図１に示した表示ユニット２０において、位置切替機能を使用した場合の構成図である。大人用と子供用の表示エリアの設定は、前画面２２に設けた位置切替ボタン３７の操作により、屈折材２４の屈折度を制御し、透過する光は屈折材により屈折し、後画面２１に表示される画像の位置が背の低い大人でも確認することを可能とする。
【００３５】
これにより、車椅子などを使用した大人が操作する場合など、視線が低い大人については、視線を低くして表示することにより、大人用の情報が読取れない事象の対応が可能である。また、背の高い子供は大人の目線で、子供の切符を買うことが可能となる。
【００３６】
図５（ａ）（ｂ）は、屈折材２４の屈折度が異なる材質を用いて、前画面と後画面の確認状況を示した構成図である。
【００３７】
図５（ａ）は、屈折材２４の屈折率が小さい場合を示している。この場合、視線は前画面２２を通過し屈折材２４で屈折するが、屈折率が小さいため、光線が後画面２１に到達しても、屈折材がない場合と比較してもあまり差は生じていない。
【００３８】
一方、図５（ｂ）は、屈折材２４の屈折率が大きい場合を示している。この場合、視線は前画面２２を通過し、屈折材２４で屈折するが、屈折率が大きいため、光線が後画面２１に至ると大きく屈折され、屈折材がない場合に比して差が大きくなっている。
【００３９】
さらに、図５（ｃ）は屈折材２４の屈折率を更に大きな材質の場合を示す。この場合、屈折材の屈折率が大きく、臨界角を越えたため、屈折材２４を通過せず、屈折材２４で反射され、後画面に到達しない状態を示している。
【００４０】
このように、屈折材２４の屈折率を変えることで、同一の視線においても、後画面の見える範囲や視認性が変わる特性を利用し、前画面と後画面の画像を合成したり、或いは画像を覆い隠すなどの制御を行うものである。
【００４１】
屈折材２４の屈折率を制御する方法としては、図５（ａ）〜（ｃ）の様に、各々屈折率の異なる屈折材を入れ替えて制御することもできるが、この方式に限定するものではなく、図６〜図９に示すようにして屈折率を変えることも可能である。
【００４２】
図６は、屈折材２４の数量を変更することにより、屈折率の異なる状況を構成している状況を示している。この場合、各屈折材２４は、同一の屈折率を有しているものでもよくまた、各々異なる屈折率を有するものを使用してもよい。特に、屈折率が異なる屈折材を多く用いれば、これらの組み合わせによって、多数の屈折率が得られ、見える範囲を柔軟に変えることが可能である。
【００４３】
図７、図８は、大きさの異なる３枚の屈折材２４を用いて、全体としての屈折率を部分的に変える構成を示している。視線の上方に当たる光は２枚の屈折材２４を通過するが、下方では４枚の屈折材を通過する。このため、同一材質の屈折材を用いている場合には視線の上方と下方で全体としての屈折率が異なることになる。更に、屈折手段の屈折材２４として、複数の異なる屈折率を有する材料を用いることにより、屈折率の差異を生じさせることも可能である。
【００４４】
図９は、屈折材２４に水や油などの流動体を用いて全体の屈折率を異ならせる構成を示す。水や油などの流動体は、透光性を有するタンクに貯蔵され、屈折材２４である水槽などにパイプで接続されている。パイプには弁が設けられており、タンクに貯蔵されている水はこの弁の開閉により、水槽までの流れを制御される。
【００４５】
水が水槽に貯蔵されると、水の存在する部分と存在しない部分とで光が透過する場合の屈折率が異なり、この結果、水の存在の有無で屈折率が異なる状況を作り出すことが可能となる。また、水には各種の添加材を混入することが容易であるので、水の量だけではなく、添加剤によって屈折率の変更を行うことも可能である。
【００４６】
更に、水と油など、各々比重が異なり、混ざらない性質の液体を複数用いることで、例えば上方が油で、下方が水の層が構築され、この結果、上方と下方で違った屈折率を構成することも可能である。このように、流動体の量の多少や、使用する流動体の種類、添加材の使用、複数の流動体の使用などにより、多数の屈折率が得られ、これらの組み合わせを行うことにより、屈折率の制御を行うことが可能である。
【００４７】
なお、図示していないが、複数のタンクから複数の液体を用いる構成や、屈折材中の水を循環させ、タンクに戻す構成とすることも可能である。
【００４８】
図１０は、屈折材２４として、プラスチックなどの粒子を用いることにより、全体としての屈折率をその位置により異ならせ構成を示している。これらの粒子を、透光性を有する容器に充填して一体化し、前画面と後画面の間に設置し易くし、この一体化された容器を屈折材として用いて屈折率を変えるものである。また、粒子は複数の種類、大きさの異なるものを用いて屈折材を構成することにより、屈折材の部位によって屈折率が異なる状況を作り出すことが可能となる。
【００４９】
次に、本発明の一実施形態における液晶表示装置の使用時の動作について図１〜図１１に基づいて説明する。図１１は操作フローを示したフローチャートである。
【００５０】
スタートする（Ｆ−１）と、まず図３に示すような前画面及び後画面が表示される（Ｆ−２）。通常の場合、そのままの状態で、大人は上の視線４０、子供は下の視線４１方向から、前画面２２上のタッチエリア３１、子供用タッチエリア３４を選択する（Ｆ−３）。この結果、希望する切符の選択が可能となる。
【００５１】
次に、前画面２２の位置切替ボタン３７を押すことにより操作（Ｆ−４）を行った場合、屈折制御処理が実行される（Ｆ−５）。屈折制御は図４（ｂ）に示すように屈折材の屈折率が変わるので、同一視線であっても後画面の見え方Ｘ、Ｙ、Ｚと変わることとなり、この結果、目的とする画像を得ることができる。この状態からタッチパネルの「選択」操作（Ｆ−６）を行って、希望する切符の選択を行う。選択操作後は、次の利用者が利用するために、画面状態を通常の状態に切替処理が行われる（Ｆ−９）。
【００５２】
また、選択操作を行わず、「位置切替」ボタン３７を再度操作する（Ｆ−７）ことにより図３に示した通常状態に戻る操作も可能である。
【００５３】
さらに、「位置切替」ボタン３７操作後に、何も操作されない場合は、タイマー作動（Ｆ−８）により、予め設定された時間を経過すると画面位置切替処理が作動（Ｆ−９）し、図３の通常状態に戻る。
【００５４】
本発明の上記実施形態によれば、通常は切替操作を行うことなく、大人は大人用の料金を示す画面を見て大人用の切符を買うことができ、子供は子供用の料金を示す画面を見て子供用の切符を買うことが可能となる利点がある。しかも、大人が切符を買うときには、子供用の料金は見えず、子供が切符を買うときには大人用の料金は見えないので、利用者が不要な表示により、惑わされることがない利点もある。
【００５５】
さらに上記実施形態では、前画面の下部に料金の切替ボタンが設けられているので、背の低い大人や背の高い子供の場合にも、このボタンを押すことにより、所望の大人用あるいは子供用の料金を表示させ、欲しい金額の切符を選択して買うことが可能となる。
【００５６】
勿論、上記実施形態のように切符だけでなく、この発明は、背の高さなどにより金額が異なる料金体系となるものを発行する装置や、遊園地等での遊戯装置の搭乗の許可を、背の高さ応じて利用者に指示を与える指示装置や、自動車道路などで、通行料の徴収を行う場合などにおいて、大型自動車と小型自動車との区別を、視線の位置で類推できることを利用する情報提供装置などに適用できる。
【００５７】
ところで、上述の実施形態は、本発明を、切符などの販売装置など上下の視差を利用した装置に適用した場合について説明した。しかし、本発明はこのように上下の視差だけでなく、左右の視差を利用する場合にも適用することが可能である。
【００５８】
本発明をこのような左右の視差を利用して表示を行う場合の、本発明の他の実施形態について、次に図１２及び図１３を基に説明する。この実施形態は、左、右あるいは正面から来る人、各々に、駐車場のある方向を異なる方向に誘導する実施形態の例である。図１２（ａ）（ｂ）は、前画面２２及び後画面２１に表示される例を示す。前画面２２には中央に駐車場が表示され、後画面２１には、左右に、各々、左方向を示す矢印、右方向を示す矢印が記載されている。
【００５９】
図１３は、表示ユニットの前画面表示部４８と後画面表示部５０に画像情報が表示される例を示す。前画面表示部４８には上記図１２（ａ）に示した前画面２２が表示され、後画面表示部５０には上記図１２（ｂ）に示す後画面２１が表示される。画像情報５１〜５３は上記駐車場及び矢印の表示である。図１２（ａ）（ｂ）では、前画面表示部４８と後画面表示部５０の内容を並べて記載しているが、実際にはこれらは屈折部４９を介して重畳して配置される。
【００６０】
図１３（ｂ）（ｃ）（ｄ）は、所定間隔離して設けられた前画面表示部４８と、屈折部４９と、後画面表示部５０とを設けた表示ユニットを、左右方向から見た場合に、見る方向により視認状況が変化する状況を示した図である。
【００６１】
図１３（ａ）において、前画面２２に駐車場５１が表示され、この表示される部分以外は透光性となっていてその後に配設されている後画面表示部５０が見える。後画面表示部５０は、画像を表示できるものであればよく、この後画面表示部５０に、左方向を示す矢印５２と右方向を示す矢印５３所定間隔おいて表示される。
【００６２】
この表示ユニットを前の方向から見た場合、次のようになる。左方向からの視線では、駐車場５１が矢印５２の方向にあることが確認され、図１３（ｂ）の視認状況が得られる。これにより、左方向から見た人は５２の矢印の方向に向かうこととなる。
【００６３】
一方、右方向からの視線では、駐車場５１が矢印５３の方向にあると確認され、図１３（ｄ）の視認状況が得られる。これにより、表示ユニットを右方向から見た人は、矢印５３の方向に向かうこととなる。
【００６４】
さらに、表示ユニットを正面方向から見た人は、矢印５２、矢印５３により、駐車場５１が左右の方向にあると確認され、図１３（ｃ）の視認状況が得られる。これにより、駐車場に行きたい正面から見た人は、矢印５２、矢印５３の両方の方向、即ち左あるいは右に向かうこととなる。
【００６５】
屈折部５０は、上述の視認状況の変化をより増大することが可能であると共に、光の入射角に対して、反射させることも可能となる。このため、定められた方向以外の方向などからこの表示ユニットを見た場合は、駐車場を示す矢印が見えないような効果を出すことも可能である。
【００６６】
この実施形態では、前画面表示部も後画面表示部も固定の表示を行えばよく、前画面表示部の駐車場５１が表示されている部分以外が光を通すこと以外、どのような表示装置であっても良い。後画面は、例えば普通用いられているような、ガイド用の矢印であってもよい。
【００６７】
なお、この実施形態において、液晶表示装置など電気的に表示対象を容易に変えることが可能なものを前画面表示装置、後画面表示装置として用いれば、電気的に表示対象を変えることができる。例えば前画面表示部４８の「駐車場」の表示を時間によって他の表示に変えるよううにすることが可能である。
【００６８】
勿論、この前画面表示装置の駐車場の表示は他の場所の表示であってもよい。
【００６９】
さらに、前画面表示部４８と後画面表示部５０には広告などの情報を表示する場合、屈折部４９には水槽などの水が入る容器を用いることも可能である。水槽には水生生物を入れておくことで、通行者の注目を浴び、広告装置としても有効である。
【００７０】
なお、上記実施例形態では、上下方向の視差、左右方向の視差を利用して異なる表示を行う場合について説明した。しかし、本発明は、これら上下左右方向の場合に限られず、一般的には表示装置に対する異なる方向の視差を利用して、異なる表示を行う場合に適用でき、この技術的思想の範囲内における態様は本発明に含まれる。
【００７１】
【発明の効果】
以上説明したように、本発明によれば、複数の操作を行う必要がなく、しかも画面情報が整理されて表示される画像表示方法及び表示装置が得られる効果がある。
【００７２】
しかも、第１の表示部及び第２の表示部の間に屈折部を有するので、視者の角度の大きさが比較的小さい場合にも光を大きく屈折させて視者の角度に応じて見やすい表示を行うことが可能である。
【図面の簡単な説明】
【図１】本発明一実施形態の構成を示す図。
【図２】本発明一実施形態の前画面と後画面の表示内容を説明するための図。
【図３】本発明一実施形態の動作を説明するための図。
【図４】本発明一実施形態の切替ボタンを押したときの動作を説明するための図。
【図５】本発明一実施形態の屈折状態を説明するための図。
【図６】本発明一実施形態の屈折部の他の実施形態を説明するための図。
【図７】本発明一実施形態の屈折部の他の実施形態を説明するための図。
【図８】本発明一実施形態の屈折部の他の実施形態を説明するための図。
【図９】本発明一実施形態の屈折部の他の実施形態を説明するための図。
【図１０】本発明一実施形態の屈折部の他の実施形態を説明するための図。
【図１１】本発明一実施形態の動作を説明するためのフローチャートを示す図。
【図１２】本発明の他の実施形態における前画面及び後画面動作の表示例を示す図。
【図１３】本発明の他の実施形態の動作を説明するための図。
【符号の説明】
１…多重表示装置、１１…制御手段、１２…プログラム記憶手段、１３…情報記憶手段、１４…抽出手段、１５…母線、  １６…表示制御手段、２０…表示ユニット、２１ａ、２２ａ…表示手段、２１…前画面、２２…後画面、２３…入力手段  、２４…屈折手段、３１…大人用タッチエリア、３２…大人用表示、３３…子供用表示エリア、３４…子供用タッチエリア、３５…大人用金額、３６…子供用金額、３７…位置切替ボタン、４０、４１…視線、４８…前画面表示部、４９…屈折部、５０…後画面表示部。
【図１】
2004279782.tif 000003
【図２】
2004279782.tif 000004
【図３】
2004279782.tif 000005
【図４】
2004279782.tif 000006
【図５】
2004279782.tif 000007
【図６】
2004279782.tif 000008
【図７】
2004279782.tif 000009
【図８】
2004279782.tif 000010
【図９】
2004279782.tif 000011
【図１０】
2004279782.tif 000012
【図１１】
2004279782.tif 000013
【図１２】
2004279782.tif 000014
【図１３】
2004279782.tif 000015